(57)【要約】【課題】本発明の目標は、MIMOのようなシステムで知られている符号の符号化利得よりも大きい符号化利得を有する、UWBパルス信号を用いるMIMOシステム用の実数時空間符号を提案することである。さらに、本発明の目標は、各フレーム内で、アンテナ間でバランスのとれたエネルギー分布を有する時空間符号を提供することである。【解決手段】本発明は、3つまたは4つの放射素子を含むUWB送信システム用の時空間符号化方法に関する。本発明はまた、この時空間符号化を使用するPPM変調コンステレーションまたはPPM-PAM複合変調コンステレーションに属する複数のデータシンボルを送信する方法にも関する。【選択図】図4
2007282242.tif 000002
【特許請求の範囲】
【請求項１】
3つの放射素子を含むUWB送信システム用の時空間符号化方法であって、
3つの、または5つ以上の複数の時間位置を有する、PPM変調コンステレーションまたはPPM-PAM複合変調コンステレーションに属する9つのデータシンボルのブロック(S=(a1,a2,a3,a4,a5,a6,a7,a8,a9))が、9つのベクトル
【数１】
2007282242.tif 000060
に符号化され、
ベクトルの成分は、前記システムの放射素子に対する、かつ所与の送信区間(Tf)に対するUWBパルス信号を変調するものであり、各ベクトルは、前記データシンボルのうちの3つの別個の線形結合から得られ、前記成分の置換は、前記UWBパルス信号を変調する前に、前記ベクトル
【数２】
2007282242.tif 000061
のサブセットに適用されることを特徴とする時空間符号化方法。
【請求項２】
前記置換が行われた前記ベクトルが、前記UWBパルス信号を変調する前に、その成分のうちの1つまたは複数の正負符号反転が行われることを特徴とする請求項1に記載の時空間符号化方法。
【請求項３】
前記ベクトルが、サイズ3M×3の行列
【数３】
2007282242.tif 000062
のM×1のブロック成分で定義され、隣り合う行および/または列の置換を伴い、
a1,a2,a3,a4,a5,a6,a7,a8,a9は、前記データシンボルであり、Mは、PPM変調の次数であり、Ωは、その係数(χi)のうちの1つまたは複数の正負符号反転が行われていることもあれば行われていないこともある前記ベクトルの成分のM×M置換行列であり、係数u,v,wは、それらのそれぞれの比が非有理数であるようなものであることを特徴とする請求項1に記載の時空間符号化方法。
【請求項４】
前記係数u,v,wが、それぞれの値
【数４】
2007282242.tif 000063
、ただし、
【数５】
2007282242.tif 000064
、の約±10%に比例することを特徴とする請求項3に記載の時空間符号化方法。
【請求項５】
3つの、または5つ以上の複数の時間位置を有する、PPM変調コンステレーションまたはPPM-PAM複合変調コンステレーションに属する複数のデータシンボルを送信する方法であって、
前記データシンボルは、前記9つのベクトルに対する請求項1から4の一項に記載の時空間符号化によって符号化され、
これらの9つのベクトルのそれぞれの成分は、9つの変調UWBパルス信号を得るためにUWBパルス信号を構成するパルスの位置、または位置および振幅、を変調し、前記9つの信号は、3つの連続する送信区間中で前記3つの放射素子によってそれぞれ送信されることを特徴とする方法。
【請求項６】
4つの放射素子を含むUWB送信システム用の時空間符号化方法であって、
3つの、5つの、または7つ以上の複数の時間位置を有する、PPM変調コンステレーションまたはPPM-PAM複合変調コンステレーションに属する16個のデータシンボルのブロック(S=(a1,...,a16))が、16個のベクトル
【数６】
2007282242.tif 000065
に符号化され、
ベクトルの成分は、前記システムの放射素子に対する、かつ所与の送信区間(Tf)に対するUWBパルス信号を変調するものであり、各ベクトルは、前記データシンボルのうちの4つの別個の線形結合から得られ、前記成分の置換は、前記UWBパルス信号を変調する前に、前記ベクトル
【数７】
2007282242.tif 000066
のサブセットに適用されることを特徴とする時空間符号化方法。
【請求項７】
前記置換が行われた前記ベクトルが、前記UWBパルス信号を変調する前に、前記成分のうちの1つまたは複数の反転が行われることを特徴とする請求項6に記載の時空間符号化方法。
【請求項８】
前記ベクトルが、サイズ4M×4の行列
【数８】
2007282242.tif 000067
、ただし、
【数９】
2007282242.tif 000068
、のM×1のブロック成分で定義され、隣り合う行および/または列の置換を伴い、
a1,...,a16は、前記データシンボルであり、Mは、前記PPM変調の次数であり、Ωは、係数(χi)のうちの1つまたは複数の正負符号反転が行われていることもあれば行われていないこともある、前記ベクトルの成分のM×M置換行列であり、係数uq,vq,wq,tqは、それぞれの値
【数１０】
2007282242.tif 000069
、ここで、
【数１１】
2007282242.tif 000070
、の約±10%に比例することを特徴とする請求項6に記載の時空間符号化方法。
【請求項９】
3つの、5つの、または7つ以上の複数の時間位置を有する、PPM変調コンステレーションまたはPPM-PAM複合変調コンステレーションに属する複数のデータシンボルを送信する方法であって、
前記データシンボルは、前記16個のベクトルを得るために請求項6から8の一項に記載の時空間符号化によって符号化され、
これらの16個の各ベクトルの成分は、16個の変調UWBパルス信号を得るために、UWBパルス信号を構成するパルスの位置、または位置および振幅、を変調し、前記16個の信号は、4つの連続する送信区間中で前記4つの放射素子によってそれぞれ送信されることを特徴とする方法。
【請求項１０】
前記放射素子が、UWBアンテナであることを特徴とする請求項5または9に記載の送信方法。
【請求項１１】
前記放射素子が、レーザダイオードまたはエレクトロルミネセンスダイオードであることを特徴とする請求項5または9に記載の送信方法。
【請求項１２】
前記パルス信号が、TH-UWB信号であることを特徴とする請求項5、9、10、または11の一項に記載の方法。
【請求項１３】
前記パルス信号が、DS-UWB信号であることを特徴とする請求項5、9、10、または11の一項に記載の方法。
【請求項１４】
前記パルス信号が、TH-DS-UWB信号であることを特徴とする請求項5、9、10、または11の一項に記載の方法。
【請求項１５】
請求項1から4の一項に記載の方法を実施するための時空間符号化装置であって、
3つの基本モジュール(510、515、517)であって、各モジュールは、3つのデータシンボルを受け取るのに適しており、各データシンボル(ai)は、M=3またはM≧5であるM個の成分から構成され、各成分は、M'≧1であるM'個の値をとることができ、各基本モジュールは、少なくとも1つの線形結合モジュール(620)を含み、各線形結合モジュールは、3つの中間ベクトルの同じ階数の3つのそれぞれの成分を生成するように、前記3つのシンボルの同じ階数の成分の、3つの別個の線形結合を行うのに適している基本モジュールと、
複数の置換モジュール(520)であって、各置換モジュールは、前記中間ベクトルの成分に対する置換を行うのに適している置換モジュールと、
前記9つのベクトルを一群の3×3の連続する時間で提供するために、前記中間ベクトルの成分または前記置換モジュール(520)によって置換されるこれらのベクトルの成分を受け取る逆多重化手段(530)と
を含むことを特徴とする時空間符号化装置。
【請求項１６】
請求項5から9の一項に記載の方法を実施するための時空間符号化装置であって、
4つの基本モジュール(910、913、915、917)であって、各基本モジュールは、4つのデータシンボルを受け取るのに適しており、各データシンボル(ai)は、M=3またはM=5またはM≧7であるM個の成分から構成され、各成分は、M'≧1であるM'個の値をとることができ、各基本モジュールは、少なくとも1つの線形結合モジュール(1020)を含み、各線形結合モジュールは、4つの中間ベクトルの同じ階数の4つのそれぞれの成分を生成するように、前記4つのシンボルの同じ階数の成分の、4つの別個の線形結合を行うのに適している基本モジュールと、
複数の置換モジュール(920)であって、各置換モジュールは、前記中間ベクトルの成分に対する置換を行うのに適している置換モジュールと、
前記9つのベクトルを一群の4×4の連続する時間で提供するために、前記中間ベクトルの成分または前記置換モジュール(920)によって置換されるこれらのベクトルの成分を受け取る逆多重化手段(930)と
を含むことを特徴とする時空間符号化装置。
【請求項１７】
各基本モジュールおよび各置換モジュールが、入力において、一連のM個の成分を前記M個の成分から構成されるM個のシンボルのワードに変換するためのシリアルパラレル変換手段(610、710、1010)と、
出力において、逆演算を行うためのパラレルシリアル変換手段(630、730、1030)と
を備えることを特徴とする請求項15または16に記載の符号化装置。
【請求項１８】
各置換モジュールが、
少なくとも1つの中間ベクトルを記憶するためのバッファと、
前記バッファの読取りおよび書込みアドレスを混合するための手段と
を含むことを特徴とする請求項15または16に記載の符号化装置。
【発明の詳細な説明】
【技術分野】
【０００１】
本発明は、超広帯域すなわちUWB電気通信の分野、および時空間符号化すなわちSTCを用いたマルチアンテナシステムの分野の両方に関する。
【背景技術】
【０００２】
ワイヤレスマルチアンテナ電気通信システムは、先行技術でよく知られている。これらのシステムは、送信および/または受信に複数のアンテナを使用し、かつ使用される構成のタイプに従って、MIMO(多入力多出力)、MISO(多入力1出力)、またはSIMO(1入力多出力)と呼ばれる。以下では、同じMIMOという語を、上記のMIMOおよびMISOの代替形態を指すために使用する。送信および/または受信の際に空間ダイバーシティを使用することにより、これらのシステムが、従来のシングルアンテナシステム(すなわちSISO(Single Input Single Output))よりも明らかに優れたチャネル容量をもたらすことが可能になる。この空間ダイバーシティは一般に、時空間符号化による時間ダイバーシティによって補完される。そのような符号化では、複数のアンテナ上で、かつ複数の送信時間で送信されるべきデータシンボルが符号化される。時空間符号化を用いる主要な2つのカテゴリのMIMOシステム、つまり、時空間トレリス符号化システムすなわちSTTC、および時空間ブロック符号化システムすなわちSTBCが知られている。トレリス符号化システムでは、時空間符号器は、現在の状態および符号化されるべきデータシンボルに従って、P個の送信シンボルをP本のアンテナに提供する有限状態機械とみなすことができる。受信後の復号化は、多次元ビタビアルゴリズムによって行われるが、そのアルゴリズムの複雑さは、状態数に従って指数関数的に増大する。ブロック符号化システムでは、送信されるべきデータシンボルのブロックが、送信シンボルの行列に符号化され、その行列の一方の次元はアンテナ数に対応し、他方の次元は連続する送信時間に対応する。
【０００３】
図1は、STBC符号化を用いたMIMO送信システム100を図式的に示す。データシンボルブロックS=(a1,...,ab)、たとえば、bビットの、より一般にはb個のM-aryシンボルの2進ワードが、以下の時空間行列に符号化される。
【０００４】
【数１】
2007282242.tif 000003
【０００５】
ただし、符号の係数ct,p、t=1,...,T、p=1,...,Pは、通例として、データシンボルに依存する複素係数であり、Pは送信の際に使用されるアンテナ数であり、Tは符号の時間拡張、すなわち、チャネルの使用またはPCU(Per Channel Use)の回数を示す整数である。
【０００６】
データシンボルのすべてのベクトルSについて時空間符号語Cをマップする関数fは、符号化関数と呼ばれる。関数fが線形の場合、時空間符号は線形であるという。係数ct,pが実数の場合、時空間符号は実数であるという。
図1では、参照番号110は、時空間符号を示す。チャネルtを使用するたびに、符号器は、マルチプレクサ120に行列Cのt番目の行ベクトルを提供する。マルチプレクサは、変調器1301,...,130Pに、行ベクトルの係数を送出し、変調信号は、アンテナ1401,...,140Pによって送信される。
【０００７】
時空間符号は、そのレートを、すなわち1チャネル使用ごとに(PCU)送信するデータシンボル数を特徴とする。その符号は、シングルアンテナ使用(SISO)の相対レートよりもP倍高い場合、フルレートであるという。
また、時空間符号は、そのダイバーシティも特徴とし、それは、行列Cの階数として定義することができる。2つのベクトルS1およびS2に対応するどの2つの符号語C1およびC2についても、行列C1-C2が最大階数である場合は、最大のダイバーシティが存在することになる。
【０００８】
最後に、時空間符号は、その符号化利得を特徴とし、それは、異なる符号語間の最小距離を意味する。時空間符号は、以下のように定義することができる。
【０００９】
【数２】
2007282242.tif 000004
【００１０】
あるいは、線形符号では等価的に、以下のようになる。
【００１１】
【数３】
2007282242.tif 000005
【００１２】
ただし、det(C)は、Cの行列式を意味し、CHは、Cの共役転置行列である。データシンボル送信エネルギーのために、符号化利得は制限される。時空間符号は、その符号化利得が高いほど、フェージングへの耐性が増すことになる。
【００１３】
通例として、符号化利得は設定されないが、データ変調の次数とともに減少し、スペクトル効率はその次数に依存する。場合によっては、スペクトル効率が高まると、符号化利得は、ゼロになるのではなく、非ゼロの漸近値になる傾向がある。そのような符号は、非ゼロの行列式をもつという。
最後に、このシステムによって送信される平均エネルギーは、アンテナと送信時間の間で一様に分布するようにする。
【００１４】
完全符号とは、最大のダイバーシティをもち、非ゼロの行列式を用い、エネルギーが前述のように分布する、フルレート符号である。
2、3、4、または6本の送信アンテナを用いるMIMOシステム用の完全時空間符号の例が、IEEE Transactions on Information Theoryでの発表のために提出され、ウェブサイトwww.comelec.enst.fr/~belfioreで入手可能な、「Perfect space-time block codes」と題する、Frederique Oggier等の論文で提案された。
したがって、3本の送信アンテナを用いるMIMOシステム用の完全時空間符号が、以下の行列によって提供される。
【００１５】
【数４】
2007282242.tif 000006
【００１６】
ここで、
【００１７】
【数５】
2007282242.tif 000007
【００１８】
ただし、ai、i=1,...,9は、データシンボルである。
任意の数の送信アンテナのための、完全時空間符号の代替形態が、2005年12月6日にIEEE Transactions on Information Theoryで公開された、「Perfect space-time codes with minimum and non-minimum delay for any number of antennas」と題する、Petros Eliaの論文で提案されている。
【００１９】
別の電気通信分野が現在、大きな研究対象である。それは、特に今後のワイヤレスパーソナルネットワーク(WPAN)の開発にとって期待される、UWB電気通信システムに関するものである。これらのシステムは、超広帯域信号を用いてベースバンド上で直接動作するという特徴を有する。一般に、UWB信号は、2002年2月14日のFCCの規制で規定され、2005年3月に改訂されたスペクトルマスクに準拠する信号であり、すなわち基本的には、スペクトル帯域3.1〜10.6GHz内の、-10dBに対して少なくとも500MHzの帯域幅を有する信号である。実際には、2つのタイプのUWB信号、すなわち、マルチバンドOFDM信号(MB-OFDM)およびUWBパルス型信号が存在する。以下では、後者についてのみ論じる。
【００２０】
UWBパルス信号は、フレーム内に分布した、一般に数100ピコ秒程度の、非常に短いパルスによって形成される。多重アクセス干渉(MAI(Multiple Access Interference))を低減するために、各ユーザに異なる時間ホッピング符号(TH(Time Hopping))が割り当てられる。ユーザkに対して生成された、またはユーザkに向けた信号はその場合、以下の形で書くことができる。
【００２１】
【数６】
2007282242.tif 000008
【００２２】
ただし、wは基本パルスの形、TCはチップ持続時間、TSは基本区間の持続時間、ここで、NS=NCTC、ただし、NCは区間内のチップ数であり、かつフレーム全体は持続時間Tf=NSTSを有し、ただし、NSはフレーム内の区間数である。基本パルスの持続時間は、チップ持続時間未満、すなわち、Tw≦TCとなるように選ばれる。シーケンスck(n)、n=0,...,NS-1は、ユーザkの時間ホッピング符号を定義する。時間ホッピングシーケンスは、異なるユーザの時間ホッピングシーケンスに属するパルス間の衝突数を、最小化するように選ばれる。
【００２３】
図2Aは、ユーザkに関連するTH-UWB信号を示す。ユーザkから来る、またはユーザk向けの所与のデータシンボルを送信するために、TH-UWB信号は一般に、位置変調(PPM(Pulse Position Modulation))を使用して変調され、すなわち、以下の変調信号が得られる。
【００２４】
【数７】
2007282242.tif 000009
【００２５】
ただし、εは、チップ持続時間TCよりもかなり短い変調遅延(ディザ)であり、dk∈{0,...,M-1}は、そのシンボルのM-ary PPM位置である。
【００２６】
あるいは、データシンボルは、振幅変調(PAM)を用いて送信することもできる。この場合には、変調信号は以下のように書くことができる。
【００２７】
【数８】
2007282242.tif 000010
【００２８】
ただし、a(k)=2m'-1-M'、ここで、m'=1,...,M'、は、PAM変調のM'-aryシンボルである。たとえば、BPSK変調(M'=2)を使用することが可能である。
【００２９】
PPMおよびPAM変調はまた、組み合わせて複合M.M'-ary変調にすることもできる。その変調信号はその場合、以下の一般形を有する。
【００３０】
【数９】
2007282242.tif 000011
【００３１】
この変調のアルファベットは、基数M.M'であり、図3に示されている。M個の時間位置のそれぞれに対して、M'個の変調振幅があり得る。アルファベットのシンボル(d,a)は、シーケンスam、m=0,...,M-1、ここで、am=δ(m-d)a、で表すことができ、ただし、dはPPM変調の位置であり、aはPAM変調の振幅であり、δ(.)はディラック分布である。
【００３２】
時間ホッピング符号を用いて互いに異なるユーザを分離する代わりに、直交符号、たとえばDS-CDMAなどでのアダマール符号によって、それらを分離することも可能である。次に、DS-UWB(直接拡散UWB)について論じる。この場合には、(5)に対応する非変調信号の表現について、次式を有する。
【００３３】
【数１０】
2007282242.tif 000012
【００３４】
ただし、
【数１１】
2007282242.tif 000013
は、ユーザkの拡散シーケンスである。式(9)は、典型的なDS-CDMA信号の表現に類似していることに留意されたい。しかし、チップがフレーム全体を占有せずに、期間TS内に分布することにより、それとは異なる。図2Bは、ユーザkに関連するDS-UWB信号を示す。
【００３５】
上記のように、データシンボルは、PPM変調、PAM変調、または複合PPM-PAM変調を用いて送信することができる。TH-UWB信号(7)に対応するDS-UWB振幅変調信号は、以下の同じ表記法を使用して、表現することができる。
【００３６】
【数１２】
2007282242.tif 000014
【００３７】
最後に、多重アクセスを互いに異なるユーザに提供するために、時間ホッピング符号とスペクトル拡散符号を組み合わせることが知られている。したがって、以下の一般形をもつUWBパルス信号TH-DS-UWBを得る。
【００３８】
【数１３】
2007282242.tif 000015
【００３９】
図2Cは、ユーザkに関連するTH-DS-UWB信号を示す。この信号は、複合M.M'-ary PPM-PAM変調によって変調することができる。その場合、以下の変調信号を得る。
【００４０】
【数１４】
2007282242.tif 000016
【００４１】
先行技術から、MIMOシステムにおいてUWB信号を使用することが知られている。この場合には、各アンテナは、データシンボルまたはそのようなシンボルのブロック(STBC)に従って変調されたUWB信号を送信する。
【００４２】
狭帯域信号またはDS-CDMA用に最初に開発された時空間符号化技法は、UWBパルス信号に適用するのが困難である。実際、前述の完全符号など、既知の時空間符号は一般に、複素係数を用い、したがって、位相情報を有する。しかし、UWBパルス信号の帯域ほど広い帯域をもつ信号中の、この位相情報を復元するのは極めて困難である。パルスの非常に狭い時間をサポートすることは、位置変調(PPM)または振幅変調(PAM)にはるかに適している。
【００４３】
UWB信号の時空間符号化が、IEEE Transactions on Communications、2005年9月、での発表のために提出され、www.tsi.enst.frで入手可能な、「Space-Time coding for multiuser Ultra-Wideband communications」と題するChadi Abou-Rjeily等の論文で提案された。
【００４４】
前述の制約によれば、提案の時空間符号化は、実数をとる。したがって、送信において3本のアンテナを用いる構成では、以下のように書くことができる。
【００４５】
【数１５】
2007282242.tif 000017
【００４６】
ここで、
【数１６】
2007282242.tif 000018
、ただし、値θ0,θ1,θ2は、あらかじめ定義されており、かつS=(a1,a2,a3,a4,a5,a6,a7,a8,a9)は、データシンボルベクトルPAM、すなわちai∈{-M'+1,...,M'-1}である。
【００４７】
この同じ論文は、この時空間符号を、PPM-PAMアルファベットに属するデータシンボルのブロックの符号化に一般化することを提案している。3アンテナ送信構成では、この符号は、以下のサイズ3M×3の行列によって表現することができる。
【００４８】
【数１７】
2007282242.tif 000019
【００４９】
各データシンボルai=(ai,0,...,ai,M-1)はこの場合、ai,m=aiδ(m-di)を用いるPPM-PAMアルファベットの要素を表すベクトルであり、ただし、aiは、PAMアルファベットの要素で、diは、PPMアルファベットの要素である。符号Cによって符号化されるデータシンボルのブロックはまさしく、S=(a1,a2,a3,a4,a5,a6,a7,a8,a9)である。
【００５０】
より具体的には、データシンボルSのブロックは、以下に示す表現によるUWB信号の生成に取って代わられる。表記を簡単にするために、シングルユーザ使用(したがって、kによる添え字なし、拡散シーケンスなし)について検討する。
アンテナ1は、第1のフレームTfの持続時間だけ、以下の信号を送信する。
【００５１】
【数１８】
2007282242.tif 000020
【００５２】
その信号は、符号(14)の最初のM行の第1の列ベクトルに対応する。
アンテナ2は同時に、第1のフレームTfの持続時間だけ、以下の信号を送信する。
【００５３】
【数１９】
2007282242.tif 000021
【００５４】
その信号は、その符号の最初のM行の第2の列ベクトルに対応する。
最後に、アンテナ3は同時に、第1のフレームTfの持続時間だけ、以下の信号を送信する。
【００５５】
【数２０】
2007282242.tif 000022
【００５６】
その信号は、その符号の最初のM行の第3の列ベクトルに対応する。
次に、アンテナ1は、第2のフレームの持続時間だけ、そのフレームの先頭を再び時間起点として、送信する。
【００５７】
【数２１】
2007282242.tif 000023
【００５８】
その信号は、その符号の第2のM行の第1の列ベクトルに対応する。
アンテナ2は同時に、第2のフレームの持続時間だけ、以下の信号を送信する。
【００５９】
【数２２】
2007282242.tif 000024
【００６０】
その信号は、その符号の第2のM行の第2の列ベクトルに対応する。
最後に、アンテナ3は同時に、第2のフレームの持続時間だけ、以下の信号を送信する。
【００６１】
【数２３】
2007282242.tif 000025
【００６２】
その信号は、その符号の第2のM行の第3の列ベクトルに対応する。
同様に、第3のフレームの持続時間については、3本のアンテナによって送信される信号は、それぞれ以下によって与えられる。
【００６３】
【数２４】
2007282242.tif 000026
【００６４】
それぞれ、その符号の最後のM行の第1、第2、および第3の列ベクトルに対応する。
【００６５】
上記で定義された時空間符号は、ダイバーシティに関して非常に良好な性能を有する。しかし、その符号化利得は、(4)で定義された完全符号の符号化利得よりも低い。さらに、行列(14)中に現れるスカラー項
【数２５】
2007282242.tif 000027
は、各フレーム内で、アンテナ間のエネルギーの不均衡を生み出す。
【非特許文献１】Frederique Oggier等、「Perfect space-time block codes」、IEEE Transactions on Information Theory
【非特許文献２】Petros Elia、「Perfect space-time codes with minimum and non-minimum delay for any number of antennas」、IEEE Transactions on Information Theory、2005年12月6日
【非特許文献３】Chadi Abou-Rjeily等、「Space-Time coding for multiuser Ultra-Wideband communications」、IEEE Transactions on Communications、2005年9月
【発明の開示】
【発明が解決しようとする課題】
【００６６】
本発明の目標は、MIMOのようなシステムで知られている符号、特に(14)で定義される符号の符号化利得よりも大きい符号化利得を有する、UWBパルス信号を用いるMIMOシステム用の実数時空間符号を提案することである。さらに、本発明の目標は、各フレーム内で、アンテナ間でバランスのとれたエネルギー分布を有する時空間符号を提供することである。
【課題を解決するための手段】
【００６７】
本発明は、3つの放射素子を含むUWBシステム用の時空間符号化方法であって、3つの、または5つ以上の複数の時間位置を有する、PPM変調コンステレーションまたはPPM-PAM複合変調コンステレーションに属する9つのデータシンボルのブロック(S=(a1,a2,a3,a4,a5,a6,a7,a8,a9))が、9つのベクトル
【数２６】
2007282242.tif 000028
に符号化され、ベクトルの成分は、前記システムの放射素子に対する、かつ所与の送信区間(Tf)に対するUWBパルス信号を変調するものであり、各ベクトルは、前記データシンボルのうちの3つの別個の線形結合から得られ、成分の置換は、前記UWBパルス信号を変調する前に、前記ベクトル
【数２７】
2007282242.tif 000029
のサブセットに適用される時空間符号化方法で定義される。
【００６８】
本発明はまた、上記の方法を実施するための時空間符号化装置にも関する。その装置は、3つの基本モジュールであって、各モジュールは、3つのデータシンボルを受け取るのに適しており、各データシンボル(ai)は、M=3またはM≧5であるM個の成分から構成され、各成分は、M'≧1であるM'個の値をとることができ、各基本モジュールは、少なくとも1つの線形結合モジュールを含み、各線形結合モジュールは、3つの中間ベクトルの同じ階数の3つのそれぞれの成分を生成するように、前記3つのシンボルの同じ階数の成分の、3つの別個の線形結合を行うのに適している基本モジュールと、複数の置換モジュールであって、各置換モジュールは、前記中間ベクトルの成分に対する置換を行うのに適している置換モジュールと、前記9つのベクトルを一群の3×3の連続する時間で提供するために、前記中間ベクトルの成分または置換モジュールによって置換されるこれらのベクトルの成分を受け取る逆多重化手段とを含む。
【００６９】
本発明はまた、4つの放射素子を含むUWB送信システム用の時空間符号化方法であって、3つの、5つの、または7つ以上の複数の時間位置を有する、PPM変調コンステレーションまたはPPM-PAM複合変調コンステレーションに属する16個のデータシンボルのブロック(S=(a1,...,a16))が、16個のベクトル
【数２８】
2007282242.tif 000030
に符号化され、ベクトルの成分は、前記システムの放射素子に対する、かつ所与の送信区間(Tf)に対するUWBパルス信号を変調するものであり、各ベクトルは、前記データシンボルのうちの4つの別個の線形結合から得られ、成分の置換は、前記UWBパルス信号を変調する前に、前記ベクトル
【数２９】
2007282242.tif 000031
のサブセットに適用される時空間符号化方法で定義される。
【００７０】
本発明は最後に、前述の方法を実施するための時空間符号化装置に関する。その装置は、4つの基本モジュールであって、各基本モジュールは、4つのデータシンボルを受け取るのに適しており、各データシンボル(ai)は、M=3またはM=5またはM≧7であるM個の成分から構成され、各成分は、M'≧1であるM'個の値をとることができ、各基本モジュールは、少なくとも1つの線形結合モジュールを含み、各線形結合モジュールは、4つの中間ベクトルの同じ階数の4つのそれぞれの成分を生成するように、前記4つのシンボルの同じ階数の成分の、4つの別個の線形結合を行うのに適している基本モジュールと、複数の置換モジュールであって、各置換モジュールは、前記中間ベクトルの成分に対する置換を行うのに適している置換モジュールと、前記9つのベクトルを一群の4×4の連続する時間で提供するために、前記中間ベクトルの成分または前記置換モジュールによって置換されるこれらのベクトルの成分を受け取る逆多重化手段とを含む。
【００７１】
他の特徴および利点は、添付の図面を参照して、本発明の好ましい実施形態の説明を読めば、明らかになるであろう。
【発明を実施するための最良の形態】
【００７２】
本発明の基本的概念は、前述のようにUWBパルス信号の使用と非互換である複素数値が、完全符号(4)中に現れることなく、かつ、スカラー値
【数３０】
2007282242.tif 000032
が、アンテナ間のエネルギーのアンバランスな分布の起源となる符号(13)および(14)中に現れることなく、時空間符号を作成することである。
【００７３】
提案される時空間符号は、UWBパルス信号を使用する3本または4本の送信アンテナを用いるMIMOシステムに適用され、そこではデータシンボルは、PPM変調の基数Mに対するいくつかの制限を伴うPPM-PAM変調を使用して変調される。このタイプの変調は特に、同じ制限の条件では、PPM変調だけを含むことが、当業者には明らかである。3本の送信アンテナを用いるケースおよび4本の送信アンテナを用いるケースについて検討する。
3アンテナシステムでは、提案される符号は、以下のサイズ3M×3の行列によって示すことができる。
【００７４】
【数３１】
2007282242.tif 000033
【００７５】
ここで、表現(13)の場合と同じ表記法規約を用いている。ベクトルai=(ai,0,...,ai,M-1)、i=1,...,9は、データシンボルであり、Ωは、サイズM×Mの置換行列である。たとえば、Ωは、以下の単純な循環シフトである。
【００７６】
【数３２】
2007282242.tif 000034
【００７７】
ただし、IM-1×M-1は、サイズM-1の単位行列であり、01×M-1は、サイズM-1のゼロ行ベクトルであり、0M-1×1は、サイズM-1のゼロ列ベクトルである。
【００７８】
上記で認められるように、行列Cは、実数であり、アンテナによる非対称の重みは有さない。たとえば、(25)で与えられるΩの表現について、以下のように、より明示的に書くことができる。
【００７９】
【数３３】
2007282242.tif 000035
【００８０】
(26)により、行列Ωによる乗算の影響は、第2のM行および最後のM行の第1の列ベクトルに対する置換、ならびに行列Cの最後のM行の第2の列ベクトルに対する置換を含むことがわかっている。第1のフレーム(Cの最初のM行)中、PPM位置の時系列順は、3本のアンテナについて同一であり、一方、第2のフレーム(Cの第2のM行)および第3のフレーム(Cの最後のM行)では、シンボルa7,a8,a9に対するPPM位置、およびシンボルa4,a5,a6,a7,a8,a9に対するPPM位置は、シンボルa1,a2,a3のPPM位置に関する置換が行われる。上記の例では、置換は、単純な循環シフトである。言い換えれば、この特定のケースでは、第2のフレーム中では、シンボルa7,a8,a9のPPM-PAMコンステレーションが、及び第3のフレーム中では、(図3に示されているように)シンボルa4,a5,a6,a7,a8,a9のPPM-PAMコンステレーションが、右に1桁の循環回転を受けるかのように、すべてが行われる。
【００８１】
一般に、行列Ωは、M次の置換行列である。3つの連続するフレーム中で3本のアンテナによって生成されるUWB信号を与える表現(15)〜(23)は次に、正規化因子1/7に関係なく、次の表現(27)〜(35)で置き換えられる。
第1のフレームは以下のようになる。
【００８２】
【数３４】
2007282242.tif 000036
【００８３】
第2のフレームは以下のようになる。
【００８４】
【数３５】
2007282242.tif 000037
【００８５】
第3のフレームは以下のようになる。
【００８６】
【数３６】
2007282242.tif 000038
【００８７】
ただし、σは、セット{0,1,...,M-1}の置換である。
【００８８】
提案される符号の行列Ωはやはり、その要素のうちのいずれかまたは2つ以上の要素の正負符号の変更に関連する(循環または非循環)置換行列とすることができる。(25)で与えられる例の場合には、行列
【００８９】
【数３７】
2007282242.tif 000039
【００９０】
ここで、χi=±1、はまた、本発明による符号Cにおいて使用することもできる。正負符号反転に関連する置換は、PPM-PAMコンステレーション(図3参照)において、PPM位置の混合を実行することに等しく、この反転に関する位置に対するPAMコンステレーションのゼロ振幅軸に関する対称が成し遂げられることに留意されたい。
【００９１】
さらに、時空間符号の行列(24)の行および/または列のどんな置換も、送信区間および/またはアンテナに対する単純な置換を実行することに等しく、またその結果、本発明の意味での時空間符号が得られる。
さらに、想定される符号の形に関わらず、シンボルaiの添え字に対するどんな置換も、やはり本発明の意味での時空間符号であることに留意することも重要である。そのような置換は、ブロックS中の単純な時間再構成と等価であるからである。
行列(24)の係数u,v,wは、
【００９２】
【数３８】
2007282242.tif 000040
【００９３】
で定義された。しかし、これらの係数に比例する値は、符号の性能が同一となる。符号化利得を損なうという犠牲を払って、この比例制約から逃れることが可能である。しかし、重要なことに、係数u,v,w間の比は非有理数であり、すなわち、u,v,w∈R-Qである。比例から±10%逸脱した場合でも、言い換えれば、
【数３９】
2007282242.tif 000041
、ここで、
【数４０】
2007282242.tif 000042
、の場合でも、時空間符号の性能は著しく損なわれないことを示すことが可能であった。この許容範囲により特に、たとえば8ビットバイトの量子化係数を扱うことが可能になる。
【００９４】
想定される符号の形に関わらず、その符号は実数である。その符号によりまた、3つのチャネル使用で3本のアンテナを介して9つのデータシンボルを送信することも可能になり、したがって、その符号はフルレートである。その符号はまた、M=3またはM≧5かつ∀M'≧1の場合に最大ダイバーシティを有することを示すこともできる。最後に、その符号化利得は、表現(13)および(14)で定義される符号の利得よりも高い。
【００９５】
図4は、本発明による時空間符号化を使用する送信システムの一例を示す。
システム400は、ブロックS=(a1,a2,a3,a4,a5,a6,a7,a8,a9)でデータシンボルを受け取る。ただし、aiは、PPM-PAMコンステレーションのシンボルである。あるいは、データシンボルは、まずPPM-PAMコンステレーションにおいてマッピングが行われるという条件で、別のM.M'-aryコンステレーションから来てもよい。もちろん、データシンボルは、情報源符号化、畳込みタイプ通信路符号化、ブロックでの、または直列もしくは並列でのターボ符号化、およびインターリービングなど、当業者によく知られた1つまたは複数の演算から得てもよい。
【００９６】
データシンボルブロックは、時空間符号器410中で符号化演算が行われる。より具体的には、モジュール410は、(24)による、または前述の代替形態による行列Cの係数を計算する。第1のフレームに対して、Cの最初のM行から構成される3つの列ベクトル
【数４１】
2007282242.tif 000043
が、次に第2のフレームに対して、Cの次のM行から構成される3つの列ベクトル
【数４２】
2007282242.tif 000044
が、最後に第3のフレームに対して、Cの最後のM行から構成される3つの列ベクトル
【数４３】
2007282242.tif 000045
が、それぞれUWB変調器420、425、427に送信される。上の添え字はこの場合、フレームを示し、下の添え字は、放射素子430、435、または437を表す。UWB変調器420は、ベクトル
【数４４】
2007282242.tif 000046
に基づいて、対応する変調UWBパルス信号を生成する。同様に、UWB変調器425および427はそれぞれ、ベクトル
【数４５】
2007282242.tif 000047
および
【数４６】
2007282242.tif 000048
に基づいて、対応する変調UWBパルス信号を生成する。
【００９７】
たとえば、図に示されている時空間符号化行列(24)を使用する場合、UWB変調器420は、連続して信号(27)、(30)、および(33)を提供し、一方、UWB変調器425は、連続して信号(28)、(31)、および(34)を提供し、UWB変調器427は、連続して信号(29)、(32)、および(35)を提供する。一般に、変調をサポートするために使用されるUWBパルス信号は、TH-UWB、DS-UWB、またはTH-DS-UWBタイプとすることができる。こうして変調されたUWBパルス信号は次に、放射素子430、435、および437に送出される。これらの放射素子は、たとえば、電気光学変調器に関連する、赤外領域で動作する、UWBアンテナまたはレーザダイオードまたはLEDとすることができる。提案される送信システムはその場合、ワイヤレス光電気通信の分野で使用することができる。
【００９８】
図5は、図4の時空間符号器410の有利な一実施形態を示す。その符号器は、3つの入力および3つの出力をもつ基本モジュール510、515、517、置換モジュール520、ならびに9つの入力および3つの出力をもつデマルチプレクサ530を使用する。各基本モジュール510、515、517は、図6に示されている構造を有する。この基本モジュールは、3つのシリアルパラレル変換器610、3つのパラレルシリアル変換器630、およびM個の線形結合モジュール620を含む。一実施形態によれば、これらのモジュール620はそれぞれ、以下の線形演算を行う。
X=ux+vy+wz
Y=wx+uy+vz  ・・・(37)
Z=vx+wy+uz
ただし、それらの値はすべて、スカラーであり、x,y,zは、入力値であり、X,Y,Zは、出力値である。
【００９９】
モジュール620は、ワイヤード乗算器および加算器から構成することができ、あるいはマイクロシーケンス演算を用いて作り出すこともできる。
シリアルパラレル変換器610は、一連のM個の連続するPAMシンボルを、サイズMのベクトルに変換する。逆に、パラレルシリアル変換器630は、サイズMのベクトル(PPM-PAMシンボル)を、一連のM個の連続するPAMシンボルに変換する。
【０１００】
図5の置換モジュール520は、図7に示されている構造を有する。各置換モジュールは、入力および出力を有する。シリアルパラレル変換器は、一連のM個のPAM入力シンボルを、PPM-PAMシンボルを表す、M個のシンボルから構成されるワードに変換する。逆に、出力では、モジュール720中でワードのシンボルが置換された後、パラレルシリアル変換器は、そのワードを、一連のM個の連続するPAMシンボルに変換する。
【０１０１】
図5のデマルチプレクサ530は、基本モジュール510、515、517から来る時空間符号のPPM-PAMシンボル(より具体的には、対応するPAMシンボル)を、場合によってはモジュール520中での置換後に、受け取り(したがって、置換後にシンボル
【数４７】
2007282242.tif 000049
が得られる)、それらを必要な送信時間においてUWB変調器に送出する。これを行うために、デマルチプレクサ530は、第2および第3のフレーム中で送信されるべきシンボルの成分を遅延させるために、FIFOバッファを含むことができる。
【０１０２】
行列Ω中に正負符号反転が存在する場合、それらは、当該成分に関して、モジュール515および517中で係数u,v,wの正負符号を変更することによって考慮に入れることができる。より具体的には、正負符号の変更は、モジュール515および517の線形結合モジュール620中で行われることになる。
【０１０３】
図5〜7に示されている実施形態は、異なるモジュール間の、特にモジュール515、517、および520間ならびにモジュール520および530間の、PPM-PAMシンボルの成分のシリアライゼーションを使用する。しかし、所望の並列度に従って、多くのアーキテクチャの実施形態を想定することができることが、当業者には明らかである。たとえば、異なるモジュール間の交換は、シンボル単位で行うことができ、その場合、シリアルパラレルおよびパラレルシリアル変換器は、すべてまたは一部を抑制することができる。また、入力を多重化し、成分のレートの3倍のレートで出力を逆多重化することによって、基本モジュール中で単一の線形結合モジュール620を使用することも可能である。
【０１０４】
4本の送信アンテナを用いるMIMOシステムでの時空間符号化の場合について、以下で検討する。提案される時空間符号は、以下のサイズ4M×4の行列で定義される。
【０１０５】
【数４８】
2007282242.tif 000050
【０１０６】
ここで、
【０１０７】
【数４９】
2007282242.tif 000051
【０１０８】
、であり、その添え字は、送信フレームを示す。ベクトルai=(ai,0,...,ai,M-1)、i=1,...,16は、データシンボルであり、SおよびΩは、サイズM×Mの置換行列である。
【０１０９】
上記の3本の送信アンテナを用いる時空間符号について検討された代替形態が、すなわち行列Ω中の係数の正負符号反転、C中の行および列の置換、ならびにデータシンボル添え字aiの置換が適用される。さらに、上記の値uq,vq,wq,tqに比例する係数、または符号性能の実質的な損傷のない±10%の誤差をもつこれらの値にほぼ比例する係数を選択することも可能である。
【０１１０】
検討された符号の形に関わらず、その符号は実数である。その符号によりまた、16個のデータシンボルが、4つのチャネル使用で4本のアンテナを介して送信されることも可能になり、したがって、その符号はフルレートである。その符号はまた、M=3、M=5、またはM≧7かつ∀M'≧1の場合に最大ダイバーシティを有することを示すこともできる。最後に、その符号化利得は、先行技術で知られている符号化利得よりも高い。
【０１１１】
図8は、本発明による4本のアンテナを用いた時空間符号化を使用する送信システムの一例を示す。
システム800は、16個のシンボルからなるブロックSで、データシンボルを受け取る。データシンボルブロックは、時空間符号器810中で符号化演算が行われる。より具体的には、モジュール810は、(38)による、または上記で検討された代替形態による行列Cの係数を計算する。第1のフレームに対して、Cの最初のM行から構成される4つの列ベクトル
【数５０】
2007282242.tif 000052
が、次に第2のフレームに対して、Cの次のM行から構成される4つの列ベクトル
【数５１】
2007282242.tif 000053
が、次に第3のフレームに対して、Cの次のM行から構成される4つの列ベクトル
【数５２】
2007282242.tif 000054
が、最後に第4のフレームに対して、Cの最後のM行から構成される4つの列ベクトル
【数５３】
2007282242.tif 000055
が、それぞれUWB変調器820、823、825、827に送信される。上の添え字はこの場合、フレームを示し、下の添え字は、放射素子830、833、835、または837を表す。
【０１１２】
UWB変調器820は、ベクトル
【数５４】
2007282242.tif 000056
に基づいて、対応する変調UWBパルス信号を生成する。同様に、UWB変調器823、825、および827はそれぞれ、ベクトル
【数５５】
2007282242.tif 000057
、および
【数５６】
2007282242.tif 000058
に基づいて、対応する変調UWBパルス信号を生成する。変調をサポートするために使用されるUWBパルス信号はまた、TH-UWB、DS-UWB、またはTH-DS-UWBタイプとすることもできる。こうして変調されたUWBパルス信号は次に、放射素子830、833、835、および837に送出される。
【０１１３】
図9は、図8の時空間符号器810の有利な一実施形態を示す。その符号器は、4つの入力および4つの出力をもつ基本モジュール910、913、915、917、置換モジュール920、ならびに16個の入力および4つの出力をもつデマルチプレクサ930を使用する。各基本モジュール910、913、915、917は、図10に示されている構造を有する。この基本モジュールは、4つのシリアルパラレル変換器1010、4つのパラレルシリアル変換器1030、およびM個の線形結合モジュール1020を含む。一実施形態によれば、これらのモジュール1020はそれぞれ、以下の線形演算を行う。
A=u0a+v0b+w0c+t0d
B=u1a+v1b+w1c+t1d
C=u2a+v2b+w2c+t2d  ・・・(39)
D=u3a+v3b+w3c+t3d
ただし、それらの値はすべてスカラーであり、a,b,c,dは入力値であり、A,B,C,Dは出力値である。
【０１１４】
上記のように、モジュール1020は、ワイヤード乗算器および加算器から構成することができ、あるいはマイクロシーケンス演算を用いて作り出すこともできる。
シリアルパラレル変換器1010は、一連のM個の連続するPAMシンボルを、サイズMのベクトルに変換する。逆に、パラレルシリアル変換器1030は、サイズMのベクトル(PPM-PAMシンボル)を、一連のM個の連続するPAMシンボルに変換する。
図9の置換モジュール920は、図5に示されている構造を有し、したがって、さらに詳しくは説明しない。
【０１１５】
図9のデマルチプレクサ930は、基本モジュール910、913、915、917から来る時空間符号のPPM-PAMシンボル(より具体的には、対応するPAMシンボル)を、場合によってはモジュール920での置換後に、受け取り(シンボル
【数５７】
2007282242.tif 000059
を得る)、それらを必要な送信時間においてUWB変調器に送出する。これを行うために、デマルチプレクサ930は、第2、第3、および第4のフレーム中で送信されるべきシンボルの成分を遅延させるために、FIFOバッファを含むことができる。
【０１１６】
行列Ω中に正負符号反転が存在する場合、それらは、当該成分に関して、モジュール913、915、および917中で係数uk,vk,wk,tkの正負符号を変更することによって考慮することができる。より具体的には、正負符号の変更は、後者の線形結合モジュール1020中で行われることになる。
もちろん、この場合にも、所望の並列度に応じて、シリアルパラレルおよびパラレルシリアル変換器は、すべてまたは一部を抑制することができる。また、入力での成分の多重化および1020の出力での逆多重化を、前記成分のレートの4倍のレートで行うことによって、各基本モジュールごとに単一の線形結合モジュールを使用することも可能である。
【０１１７】
図4または図8に示されているシステムによって送信されるUWB信号は、マルチアンテナ受信機によって従来方式で処理することができる。受信機は、たとえば当業者に知られている球内復号器を使用する、レイク相関段階と、それに続く決定段階を、たとえば含むことができる。
【図面の簡単な説明】
【０１１８】
【図１】先行技術より知られているSTBC符号化を用いるMIMO送信システムを示す図である。
【図２Ａ】TH-UWB信号の形を示す図である。
【図２Ｂ】DS-UWB信号の形を示す図である。
【図２Ｃ】TH-DS-UWB信号の形を示す図である。
【図３】PPM-PAM変調コンステレーションの一例を示す図である。
【図４】本発明による第1の時空間符号化を使用するMIMO送信システムを示す図である。
【図５】本発明の一実施形態による第1の時空間符号器の構造を示す図である。
【図６】図5の時空間符号器を作り出すのに有用な基本モジュールの構造を示す図である。
【図７】図5の時空間符号器を作り出すのに有用な置換モジュールの構造を示す図である。
【図８】本発明による第2の時空間符号化を使用するMIMO送信システムを示す図である。
【図９】本発明の一実施形態による第2の時空間符号器の構造を示す図である。
【図１０】図9の時空間符号器を作り出すのに有用な基本モジュールの構造を示す図である。
【符号の説明】
【０１１９】
100  MIMO送信システム
110  時空間符号
120  マルチプレクサ
1301、130P  変調器
1401、140P  アンテナ
400  システム
410  時空間符号器
420、425、427  UWB変調器
430、435、437  放射素子
510、515、517  基本モジュール
520  置換モジュール
530  デマルチプレクサ
610  シリアルパラレル変換器
620  線形結合モジュール
630  パラレルシリアル変換器
710  シリアルパラレル変換手段
720  モジュール
730  パラレルシリアル変換手段
800  システム
810  時空間符号器
820、823、825、827  UWB変調器
830、833、835、837  放射素子
910、913、915、917  基本モジュール
920  置換モジュール
930  デマルチプレクサ
1010  シリアルパラレル変換器
1020  線形結合モジュール
1030  パラレルシリアル変換器
【図１】
2007282242.tif 000071
【図２Ａ】
2007282242.tif 000072
【図２Ｂ】
2007282242.tif 000073
【図２Ｃ】
2007282242.tif 000074
【図３】
2007282242.tif 000075
【図４】
2007282242.tif 000076
【図５】
2007282242.tif 000077
【図６】
2007282242.tif 000078
【図７】
2007282242.tif 000079
【図８】
2007282242.tif 000080
【図９】
2007282242.tif 000081
【図１０】
2007282242.tif 000082
【外国語明細書】
2007282242.tif 000083
2007282242.tif 000084
2007282242.tif 000085
2007282242.tif 000086
2007282242.tif 000087
2007282242.tif 000088
2007282242.tif 000089
2007282242.tif 000090
2007282242.tif 000091
2007282242.tif 000092
2007282242.tif 000093
2007282242.tif 000094
2007282242.tif 000095
2007282242.tif 000096
2007282242.tif 000097
2007282242.tif 000098
2007282242.tif 000099
2007282242.tif 000100
2007282242.tif 000101
2007282242.tif 000102
2007282242.tif 000103
2007282242.tif 000104
2007282242.tif 000105
2007282242.tif 000106
2007282242.tif 000107
2007282242.tif 000108
2007282242.tif 000109
2007282242.tif 000110
2007282242.tif 000111
2007282242.tif 000112
2007282242.tif 000113
2007282242.tif 000114
2007282242.tif 000115
2007282242.tif 000116
2007282242.tif 000117
2007282242.tif 000118
2007282242.tif 000119
2007282242.tif 000120
2007282242.tif 000121
2007282242.tif 000122
2007282242.tif 000123
2007282242.tif 000124
2007282242.tif 000125
2007282242.tif 000126
2007282242.tif 000127
2007282242.tif 000128
2007282242.tif 000129
2007282242.tif 000130
2007282242.tif 000131
2007282242.tif 000132